(57)【要約】【課題】コンテンツ供給源から離れた場所にモニタ部が設置されている場合でも、コンテンツ供給源を確実にリモコン制御可能とする。【解決手段】受信器１０２に、Ｄ−ＶＴＲ１０３、ＤＶＤレコーダ１０４等のコンテンツ出力機器である外部機器が接続されてコンテンツ供給源１０１を構成し、このコンテンツ供給源１０１からコンテンツを無線伝送１０５でモニタ部１０６に供給してモニタするシステムにおいて、外部機器の制御項目をモニタ部１０６で画面表示し、リモートコントローラ１０７のコードを無線伝送１０８で受信器１０２に伝送し、そのコードに基づき、外部機器制御用のリモコン信号を生成して、赤外線によって送信して外部機器を制御する。【選択図】      図１
2004328422.tif 000002
【特許請求の範囲】
【請求項１】
複数のコンテンツ出力機器、このコンテンツ出力機器からのコンテンツを選択する選択手段、この選択手段で選択されたコンテンツを無線媒体を介して伝送するコンテンツ伝送手段を有したコンテンツ供給源と、
前記伝送されたコンテンツを受信する受信手段及び受信したコンテンツをモニタ出力する出力手段を有したモニタ機器と、
でなるコンテンツモニタシステムにおいて、
前記モニタ機器はリモートコントローラから送信される制御信号を受けてその制御信号に基づく制御情報を前記コンテンツ供給源に伝送するリモートコントロール制御情報伝送手段を有し、さらに前記コンテンツ供給源は前記伝送されたリモートコントロール制御情報に基づいて前記複数のコンテンツ出力機器のそれぞれを制御する制御手段を備えたことを特徴とするコンテンツモニタシステムの制御装置。
【請求項２】
複数のコンテンツ出力機器、このコンテンツ出力機器からのコンテンツを選択する選択手段、この選択手段で選択されたコンテンツを無線媒体を介して伝送するコンテンツ伝送手段を有したコンテンツ供給源と、
前記伝送されたコンテンツを受信する受信手段及び受信したコンテンツをモニタ出力する出力手段を有したモニタ機器と、
でなるコンテンツモニタシステムにおいて、
前記コンテンツ供給源は前記コンテンツと共に前記コンテンツ供給源の制御に関する情報を前記コンテンツ伝送手段によって伝送し、前記モニタ機器は前記モニタ出力された前記コンテンツ供給源の制御に関する情報に対応してリモートコントローラから送信される制御信号を受けてその制御情報を前記コンテンツ供給源に伝送するリモートコントロール制御情報伝送手段を有し、さらに前記コンテンツ供給源は前記伝送されたリモートコントロール制御情報に基づいて前記複数のコンテンツ出力機器のそれぞれを制御する制御手段を備えたことを特徴とするコンテンツモニタシステムの制御装置。
【請求項３】
前記コンテンツ供給源は、コンテンツ出力機器本体と、この本体に接続された外部コンテンツ出力機器で構成され、前記制御手段は前記外部コンテンツ出力機器を制御するために、当該外部コンテンツ出力機器のリモートコントロール信号受信手段に、リモートコントロール信号を送信するリモートコントロール信号送信手段を外部コンテンツ出力機器にそれぞれ対応させて具備していることを特徴とする請求項２に記載のコンテンツモニタシステムの制御装置。
【請求項４】
前記コンテンツが少なくとも映像コンテンツを含むと共に、前記モニタ機器が前記映像コンテンツを表示する表示手段を含み、前記コンテンツ供給源からコンテンツと共に伝送されるコンテンツ供給源の制御に関する情報は、前記コンテンツ出力機器のいずれかを選択するための映像メニュー情報であり、前記モニタ機器から伝送されるリモートコントロール制御情報は、前記選択手段を制御するための情報であることを特徴とする請求項２または３に記載のコンテンツモニタシステムの制御装置。
【請求項５】
前記記コンテンツ供給源からコンテンツと共に伝送されるコンテンツ源の制御に関する情報は、前記コンテンツ出力機器のいずれかが選択された後は、選択されたコンテンツ出力機器の制御に関する情報であり、前記モニタ機器から伝送されるリモートコントロール制御情報は、前記選択されたコンテンツ出力機器を制御するための情報であることを特徴とする請求項４に記載のコンテンツモニタシステムの制御装置。
【請求項６】
前記制御手段は、前記モニタ機器から伝送されるリモートコントロール制御情報を、前記コンテンツ出力機器に対応したリモートコントロール用コードに変換する手段を含むことを特徴とする請求項１乃至５に記載のコンテンツモニタシステムの制御装置。
【請求項７】
前記制御手段は、前記外部コンテンツ出力機器のリモートコントロール用コードを予め記憶した記憶手段を含むことを特徴とする請求項３に記載のコンテンツモニタシステムの制御装置。
【請求項８】
前記コンテンツ供給源が、テレビジョン放送を受信して映像信号と音声信号を出力する放送受信器と、この放送受信器に接続されたテレビジョン信号再生機器でなることを特徴とする請求項１乃至６のいずれかに記載のコンテンツモニタシステムの制御装置。
【発明の詳細な説明】
【０００１】
【発明の属する技術分野】
この発明は、複数のコンテンツ出力機器を含み、それらコンテンツ出力機器から出力されるコンテンツを、映像あるいは音声で出力するモニタ機器に無線で伝送してモニタするように構成されたコンテンツモニタシステムの制御装置に関する。
【０００２】
【従来の技術】
最近、例えばテレビジョン受信機において、放送を受信して映像信号及び音声信号を得る受信部と、例えば液晶パネルで構成される映像表示手段及び例えばスピーカで構成される音声出力手段を備えたモニタ部とを分割し、受信部から映像信号と音声信号を無線伝送でモニタ部に伝送して、それをモニタするように構成されたシステムが提案されている。
【０００３】
このシステムによれば、表示部をユーザが自分の好きな場所に自由に移動させて受信部からのテレビジョン信号を受けて、それを視聴することができるため、従来のテレビジョン受像機では考えられない視聴の仕方も考えられ、利用価値は高いものとなる。このようなシステムは、表示手段として、液晶表示手段、プラズマ表示手段等、小型軽量のパネル型の表示手段が普及されるに伴って、さらに需要が高まっていくものと推測される。
【０００４】
さて、現在、テレビジョン受像機で視聴可能な信号（コンテンツ）の供給源としては、放送ばかりでなく、ＶＴＲ（Ｖｉｄｅｏ  Ｔａｐｅ  Ｒｅｃｏｒｄｅｒ）、ＤＶＤ（Ｄｉｇｉｔａｌ  Ｖｅｒｓａｔｉｌｅ  Ｄｉｓｋ）等の記録媒体からコンテンツを再生してこれを出力する記録（必ずしも必須ではない）再生機器も供給機器として放送受信機に内蔵されたり、あるいは外付けで放送受信器に接続される。
【０００５】
さらに、放送にしても、一般的な地上波放送の他に、ＢＳ（Ｂｒｏａｄｃａｓｔｉｎｇ  Ｓａｔｅｌｌｉｔｅ）放送、ＣＳ放送（Ｃｏｍｍｕｎｉｃａｔｉｏｎｓ  Ｓａｔｅｌｌｉｔｅ）、１１０°ＣＳ放送、ＢＳデジタル放送、ＣＡＴＶ（Ｃａｂｌｅ  Ｔｅｌｅｖｉｓｉｏｎ）等があり、さらには、今後地上波デジタル放送の実施も予定されており、それらを受信するチューナもコンテンツ供給機器として扱うことができる。
【０００６】
これら全ての供給機器を同一の機器として備えることは、コスト等の絡みもあってむしろ稀であり、ユーザはコストを考慮しつつ、目的にあった機器を買い揃えて好みのシステムを構築するのが一般的と考えられる。例えば、アナログ地上波用チューナ、ＢＳ放送用チューナ及びＢＳデジタル放送用チューナを備えた受信器に、ＶＴＲを一台、ＤＶＤを一台接続するといったような使い方である。
【０００７】
コンテンツ供給源として外付けの機器を含み、モニタ部に対して無線で映像信号及び音声信号を伝送してモニタするようなシステムを構築した場合、それら外付け機器には、それぞれ専用のリモートコンローラ（以下単にリモコンと称す）が付属され、通常は、そのリモコンによって各機器の機能あるいは動作を切換えたり制御したりするものであるが、モニタ部がそれら外付け機器から離れた位置に移動させられた場合には、リモコンから送信される赤外線信号が外付け機器にまで到達しないようなことも考えられる。
【０００８】
また、専用のリモコンで各外付け機器が制御可能な状態にあっても、複数の機器それぞれに専用に設けられているリモコンを認識して選択し、機器に対して目的の動作をさせるようにするには、困難な作業を強いられることもあり、操作性が必ずしもいいとはいえない。
【０００９】
したがって、コンテンツ供給源として外付け機器を含み、モニタ部に対して無線で信号を伝送して視聴するようにシステムにおいて、外付け機器を含むコンテンツ供給源から供給される信号を離れた場所に設置したモニタ部で視聴している際に、コンテンツを供給している供給源の動作、機能をリモコンで的確に制御するように構成することは、製品として重要な事項であると思われるが、従来そのような機能を確実に発揮する装置の提案がなされていなかった。
【００１０】
例えば、特許文献１にディスプレイ装置用のリモコンによってこのディスプレイ装置に接続された外部機器を制御できるようにした装置が示されているが、この提案のディスプレイ装置はチューナを含み、コンテンツ供給源と別に設けられたモニタ部ではなく、コンテンツをモニタ部に無線で伝送することを想定したものではない。したがって、モニタ部がコンテンツ供給源から離れて設置された際に、コンテンツ供給源の動作を的確に制御するという解を与えるものではない、
【００１１】
また特許文献２には、テレビジョン受像機に接続されるＶＴＲ、ＭＤ（Ｍｉｎｉ  Ｄｉｓｃ）等の周辺機器の操作コード、及び接続関係を学習して、システムを動作させる一連の操作コードが出力できるようにした提案がなされているが、この提案も、コンテンツ供給源とモニタ部を無線で結合することを想定したものではなく、上記課題を解決するものではない。
【００１２】
【特許文献１】
特開２００２−３１５０７２号公報（第４〜５頁、図１）
【特許文献２】
特開平５−２３６３６６号公報（第３頁、図１）
【００１３】
【発明が解決しようとする課題】
以上のように、従来、複数のコンテンツ出力機器でなるコンテンツ供給源とモニタ部とを無線で連結し、コンテンツをモニタ部に無線伝送してモニタ出力するように構成したシステムにおいて、モニタ部でコンテンツを出力しながら、コンテンツ供給源の動作、機能を確実に制御することができる適当な装置の実現が強く要望されていた。
【００１４】
本発明は、以上の点に対処なされたものであり、モニタ部からコンテンツ供給源に対してリモコンコードを伝送するように構成して、コンテンツ供給源の確実な制御を可能にした装置を提供することを目的とする。
【００１５】
【課題を解決するための手段】
本発明のコンテンツモニタシステムの制御装置は、複数のコンテンツ出力機器、このコンテンツ出力機器からのコンテンツを選択する選択手段、この選択手段で選択されたコンテンツを無線媒体を介して伝送するコンテンツ伝送手段を有したコンテンツ供給源と、
【００１６】
前記伝送されたコンテンツを受信する受信手段及び受信したコンテンツをモニタ出力する出力手段とを有したモニタ機器と、
でなるコンテンツモニタシステムにおいて、
前記モニタ機器はリモートコントローラから送信される制御信号を受けてその制御信号に基づく制御情報を前記コンテンツ供給源に伝送するリモートコントロール制御情報伝送手段を有し、さらに前記コンテンツ供給源は前記伝送されたリモートコントロール制御情報に基づいて前記複数のコンテンツ出力機器のそれぞれを制御する制御手段を備えたことを特徴とする。
【００１７】
本発明によれば、コンテンツ供給源から離れた位置で、コンテンツ供給源からのコンテンツをモニタしている際においても、コンテンツ供給源の動作あるいは機能を確実に制御することができるものである。
本発明のコンテンツモニタの制御装置は、複数のコンテンツ出力機器、このコンテンツ出力機器からのコンテンツを選択する選択手段、この選択手段で選択されたコンテンツを無線媒体を介して伝送するコンテンツ伝送手段を有したコンテンツ供給源と、
【００１８】
前記伝送されたコンテンツを受信する受信手段及び受信したコンテンツをモニタ出力する出力手段とを有したモニタ機器と、
でなるコンテンツモニタシステムにおいて、
前記コンテンツ供給源は前記コンテンツと共に前記コンテンツ供給源の制御に関する情報を前記コンテンツ伝送手段によって伝送し、前記モニタ機器は前記モニタ出力された前記コンテンツ供給源の制御に関する情報に対応してリモートコントローラから送信される制御信号を受けてその制御信号に基づく制御情報を前記コンテンツ供給源に伝送するリモートコントロール制御情報伝送手段を有し、さらに前記コンテンツ供給源は前記伝送されたリモートコントロール制御情報に基づいて前記複数のコンテンツ出力機器のそれぞれを制御する制御手段を備えたことを特徴とする。
【００１９】
本発明によれば、コンテンツ供給源から離れた位置で、コンテンツ供給源からのコンテンツをモニタしている際においても、コンテンツ供給源の動作あるいは機能を確実に制御することができるものである。
【００２０】
【発明の実施の形態】
以下、本発明に係るコンテンツモニタシステムの制御装置を図面を参照しながら詳細に説明する。
図１は、コンテンツ供給源とモニタ部を備えたコンテンツモニタシステムの制御装置１００の構成を示すブロック図である。
図１において、コンテンツ供給源１０１は放送受信器１０２と、この放送受信器１０２に接続された、Ｄ−ＶＴＲ（デジタルＶＴＲ）１０３と、ＤＶＤレコーダ１０４で構成される。受信器１０２で受信された映像信号及び音声信号、あるいはＤ−ＶＴＲ１０３またはＤＶＤレコーダ１０４で再生された映像信号及び音声信号が無線伝送１０５によってモニタ１０６に供給され、モニタ１０６によって映像及び音声として出力される。
【００２１】
また、モニタ１０６は、コンテンツ供給源１０１から無線伝送される映像信号及び音声信号を受信すると共に、リモコン１０７からのリモコン信号を受信して、リモコン信号のコードを有する信号を無線１０８で放送受信器１０２に送信して、放送受信器１０２と、Ｄ−ＶＴＲ１０３及びＤＶＤレコーダ１０４を制御する機能を有する。
【００２２】
放送受信器１０２は、アンテナ１０９でキャッチされた放送電波がケーブルを介して放送信号として供給される受信・復調部１１０を有する。アンテナ１０９はいわゆる放送電波をキャッチする機能を有するものとして示されており、代表的に地上波放送用のものが示されているが、衛星放をキャッチするにはこれがパラボラアンテナになる。
【００２３】
したがって受信・復調部１１０も、地上波用、ＢＳ放送用、ＣＳ放送用等、受信しようとする放送に対応したものとなり、チャンネルの選局と、選局した放送信号を復調してベースバンドの映像信号と音声信号を得る機能を有する。受信した放送がデジタル放送であるなら、受信・復調部１１０は、選局、復調、誤り訂正処理等を経て得られたＭＰＥＧ（Ｍｏｖｉｎｇ  Ｐｉｃｔｕｒｅ  Ｅｘｐｅｒｔｓ  Ｇｒｏｕｐ）２のトランスポートストリーム信号から、番組を構成する映像データ及び音声データを抽出する処理と、ＭＰＥＧ２のデコード処理及びデジタル／アナログ変換処理を実行するものである。受信・復調部１１０は制御部１１１に接続されて、その制御の下に選局動作及びその他の動作、処理を実行するが、詳細は後述する。
【００２４】
受信・復調部１１１から出力されるアナログのベースバンド映像信号と音声信号は入力切換部１１２に供給される。入力切換部１１２には、受信・復調部１１０の他に、Ｄ−ＶＴＲ１０３、ＤＶＤレコーダ１０４から再生されたアナログのベースバンド映像信号と音声信号も供給されており、入力切換部１１２は、制御部１１１の制御の下に、それらの入力の一つを選択して、映像信号をＯＳＤ重畳部１１３に出力する。また、同時に、選択された音声信号を映像・音声送信部１１４に供給する。
【００２５】
ＯＳＤ重畳部１１２では、入力切換部１１２からの映像信号に、制御部１１１で生成したメニュー等のＧＵＩ（Ｇｒａｐｈｉｃａｌ  Ｕｓｅｒ  Ｉｎｔｅｒｆａｃｅ）形式のグラフィックス、テキスト等を重畳する。重畳されるグラフィックスあるいはテキスト等を構築するためのデータは、メモリ１１５に予め蓄積されている。
【００２６】
ＯＳＤ重畳部１１３でメニュー等が重畳された映像信号は映像・音声送信部１１４に供給され、ここで音声信号と共に、無線伝送に必要な変調信号に変換されて、無線１０５によってモニタ部１０６に送信される。
モニタ部１０６に供給された無線信号は、映像・音声受信部１１６で受信され、復調されて元の映像信号及び音声信号に変換される。そして映像信号が映像として表示され、音声信号が音声として出力される。モニタ部１０６には、リモコン１０７からの赤外線リモコン信号を受信する受光部１１７が設けられている。リモコン１０７は、その各キー毎にコードが設定されており、それが所定フォーマットでリモコン信号として構築されて赤外線によって送信される。
【００２７】
モニタ部１０６では、受光部１１７で受信したリモコン信号から、コードを抽出して、それを無線伝送可能なように変調してＴＶリモコンコード送信部１１８から無線１０８によって送信する。
モニタ部１０６から無線送信されたリモコンコード信号は、受信器１０２のＴＶリモコンコード受信部１１９で受信され、復調されてリモコン信号として復元される。復元されたリモコン信号は、制御部１１１に供給されて、そのコードがデコードされ、制御部１１１によって各コードに対応した制御が実行される。例えば、受信器１０２では、受信・復調部１１０を制御して所望のチャンネルの切換え等が行われる。
【００２８】
制御部１１１による制御は、受信器１０２ばかりでなく、外部接続機器であるＤ−ＶＴＲ１０３、ＤＶＤレコーダ１０４も対象となる。この目的のため、制御部１１１は、Ｄ−ＶＴＲ１０３、ＤＶＤレコーダ１０４を含めた入力選択メニューを生成してＯＳＤ重畳部１１３に供給し、モニタ部１０６で表示させてユーザにコンテンツ出力機器の選択をさせると共に、その結果選択されたコンテンツ出力機器の制御対象機能をモニタ部１０６に表示させる。
【００２９】
例えば、Ｄ−ＶＴＲ１０３が選択された際には、その制御対象となる再生、早送り、巻戻し等の機能を画面表示させる。ユーザは、表示されたガイドに沿ってリモコン１０７を操作し、制御部１１１はそれによって送信されてきたリモコンコードを、Ｄ−ＶＴＲ１０３用のリモコンコードに変換すると共に、Ｄ−ＶＴＲ１０３用のリモコン信号のフォーマットに変換して外部機器制御部１２０に送る。
【００３０】
外部機器制御部１２０では、送られてきたリモコン信号を、赤外線信号として送信可能となるように変換して赤外線発光素子１２１から赤外線リモコン信号として送信させる。Ｄ−ＶＴＲ１０３には発光素子１２１からのリモコン信号を受ける受光部１２２が設けられ、受信されたリモコン信号に対応して動作が制御される。
【００３１】
ＤＶＤ１０４も同様に、コンテンツ出力機器として選択されたら、リモコン１０７操作に基づいて送信されてくるリモコンコード信号を、制御部１１１によってＤＶＤ１０４用のリモコンコードに変換すると共にフォーマット化し、外部機器制御部１１９で、赤外線信号として送信可能となるように変換して赤外線発光素子１２３から赤外線リモコン信号として送信させる。ＤＶＤ１０４には、発光素子１２３からのリモコン信号を受ける受光部１２４が設けられ、受信されたリモコン信号に対応して動作が制御される。
【００３２】
図２は、モニタ部１０６の内部の構成を示す回路ブロック図である。図２において、図１と同一部分には、同一符号を付す。受信部１０２から無線１０５で伝送される映像信号及び音声信号は、映像・音声受信部１１６で受信され、復調／信号処理部２０１で復調されることで元のベースバンドの映像信号と音声信号に変換される。さらに変換された映像信号に対してコントラスト、輝度、色彩、色相等の調整が行われ、音声信号に対して音量、音質の調整が行われる。
【００３３】
復調／信号処理部２０１から出力される映像信号は、映像出力部２０２を介して表示部２０３に供給され、表示部２０３で表示される。また、復調／信号処理部２０１から出力される音声信号は、音声出力部２０４を介してスピーカ２０５に供給されて音声として出力される。
【００３４】
さらにモニタ部１０６には、制御部２０６が設けられ、映像・音声受信部１１６、復調／信号処理部２０１の制御を行うと共に、赤外線受光部１１７とＴＶリモコン信号送信部１１８の制御を行う。
赤外線受光部１１７は、リモコン１０７から送信された赤外線リモコン信号を受信して、リモコンコードを抽出し、これを制御部２０６に送る。制御部２０６は送られたリモコンコードをＴＶリモコンコード送信部１１８に送り、ＴＶリモコンコード送信部１１８では、送られたリモコンコードを無線伝送するための信号に変換して送信する。
【００３５】
以上のように、構成されたシステムにおいて、ユーザが例えば、Ｄ−ＶＴＲ１０３の再生信号をモニタ部１０６によって視聴することを所望した際には、ユーザは、リモコン１０７のメニュー表示させるためのキーを操作して、リモコン信号を送信する。
【００３６】
それによって、モニタ部１０６は、赤外線受光部１１７でそれを受けて、コードを抽出して制御部２０６に送り、制御部２０６は、そのコード信号をＴＶリモコンコード送信部１１８から送信させる。
受信器１０２は、ＴＶリモコンコード受信部１１９でそれを受信して、コードを抽出し、制御部１１１に送る。制御部１１１では、送られたコードをデコードして、それに基づいてＧＵＩ形式のメニュー情報を構築する。そして構築したメニュー情報をＯＳＤ重畳部１１３に供給し、さらにそれをＯＳＤ重畳部１１３から映像・音声送信部１１４に導出して無線１０５で送信させる。
【００３７】
モニタ部１０６では、送信された信号を映像・音声受信部１１６で受信して、復調／信号処理部２０１に供給する。復調／信号処理部２０１では、映像信号及び音声信号を復調し、映像信号を映像出力部２０２を介して表示部２０３で表示させる。また、音声信号を音声出力部２０４を介してスピーカ２０５から出力させる。
【００３８】
図３は、表示部２０３で表示されるメニューの一例である。ユーザは、表示されたメニュー情報から、リモコン１０７の数字キーあるいはカーソルキーで「４．入力選択」を選択し、決定キーを押す。それによって。入力選択に対応するリモコンコードを有する信号が、ＴＶリモコンコード送信部１１８から送信され、これがＴＶリモコンコード受信部１１９で受信され、コードが抽出されて、制御部１１１に送られる。
【００３９】
制御部１１１では、メニュー情報を入力選択のための情報項目を有するものに変えて、ＯＳＤ重畳部１１３、映像・音声送信部１１４を介して送信し、モニタ部１０６では、それを受信して、表示部２０３に例えば図４に示す表示を行う。
入力選択項目として、例えば受信器１０２の受信・復調部１１０からの信号（内蔵チューナ）と、外付け機器としてのビデオ１〜３があり、ビデオ１としてＤ−ＶＴＲが表示され、ビデオ２としてＤＶＤが表示され、ビデオ３は何ら表示されず外部機器が接続されていないことを示している。
【００４０】
図４によう、表示された選択項目から、Ｄ−ＶＴＲを選択すべく、リモコン１０７の数字キー、カーソルキーと決定キーを操作すると、モニタ部１０６は赤外線受光部１１６でそれを受けて、リモコンコード送信部１１８からリモコンコード信号を送信する。
【００４１】
受信器１０２は送信されたリモコンコード信号を受けて、コード信号を制御部１１１に送り、制御部１１１は、Ｄ−ＶＴＲ１０３から信号を再生するための制御項目を示す情報を生成して、それをＯＳＤ重畳部１１３と映像・音声送信部１１４を介して送信する。
【００４２】
モニタ部１０６は、それを受けて、図５に示す機能選択のための表示を行う。図５において、画面３００の左上部に対象となる機器として「Ｄ−ＶＴＲ」が表示され、画面右下に、リモコン１０７のキーに対応した表示がなされる。３０１は、電源をオンオフさせるキーであり、３０２は、再生を開始させるキーであり、３０３は停止キーである。また、３０４は巻戻しキー、３０５は早送りキーである。
【００４３】
ユーザは、図５に示す画面表示を見て、リモコン１０７を操作する。例えば、電源キー３０１を押すと、そのキーに対応するコードを有するリモコン信号が送信され、モニタ部１０６はそれを受けて、そのリモコンコード信号を送信部１１８から送信する。受信器１０２では、制御部１１１が、送信されたコードに基づいて、Ｄ−ＶＴＲ１０３の電源をオンさせるコードを生成し、かつ、Ｄ−ＶＴＲ１０３用のリモコンフォーマットに変換して外部機器制御部１２０に供給し、外部機器制御部１２０では、赤外線発光部１２１を駆動可能な信号に変換して、赤外線発光部１２１から送信させる。それによって、Ｄ−ＶＴＲ１０３の電源がオンとなる。
【００４４】
次にリモコン１０７のキー３０２を操作すると、同様にして、受信器１０２の制御部１１１が、モニタ部１０６から送信されたリモコンコードを、Ｄ−ＶＴＲ１０３を再生モードにするためのコードとフォーマットに変換して、外部機器制御部１２０に供給する。外部機器制御部１２０は、それを赤外線発光部１２１を駆動可能な信号に変換して赤外線発光部１２１に送り、赤外線発光部１２１は入力された信号に基づいて発光してリモコン信号を送信する。Ｄ−ＶＴＲ１０３はそれを受けて再生動作を実行する。
【００４５】
Ｄ−ＶＴＲ１０３で再生された信号は、入力切換部１１２で選択されて、ＯＳＤ重畳部１１３から映像・音声送信部１１４に供給されて送信される。モニタ部１０６では、それを映像・音声受信部１１６で受信して、復調／信号処理部２１０で復調する。復調された映像信号が出力部２０２を介して表示部２０３で表示され、復調された音声信号が、音声出力部２０４を介してスピーカ２０５から出力される。
【００４６】
図５に示すその他のキーについても、同様の処理過程を経て、Ｄ−ＶＴＲ１０３の機能を制御するものである。また、ＤＶＤレコーダ１０３についても、図５に示すのと同様のキー表示を行い、同様に制御するように構成することが可能である。なお、図５の表示は、リモコン１０７の例えば表示キー等を操作するたびに画面表示が消去されたり、再び表示されたりするように切換えることが可能である。
【００４７】
このように、受信器１０２には、Ｄ−ＶＴＲ１０３、ＤＶＤレコーダ１０４を含め、全てのメーカの全てのＡＶ（Ａｕｄｉｏ  Ｖｉｓｕａｌ）機器をリモコンによって制御するに必要な、コード情報と、フォーマット情報が予め、例えばメモリ１１４に記憶されており、制御部１１１が、接続された機器に対応してそれを読み出して、モニタ部１０６から送られるコードを必要に応じて変換して、所定のフォーマットのリモコン信号を得るように機能するものである。
【００４８】
なお、全てのメーカのあらゆる機器に対応するリモコン信号情報を記憶させておくということは、それだけメモリ容量が必要であるということで経済的でないという問題を含んでいる。このため、外部機器を受信器１０２に接続させた際に、機器付属のリモコンからモニタ部１０６赤外線受光部１１７にリモコン信号を送信させ、そのリモコンコードとフォーマット情報をモニタ部１０６の制御部２０６で解読し、それら情報をリモコンコード送信部１１８と受信部１１９を介して受信器１０２の制御部１１１に伝送し、それらをメモリ１１５に記憶させておくように構成することも可能である。
【００４９】
なお、図３に示すメニュー表示のうち、外部接続機器制御は、それを選択すると、例えば図６に示す外部接続機器のリストが表示され、そこで所望の機器を選択すると、例えば図７に示すように、その機器の初期設定、録画、再生の選択項目が表示されるように構成することが可能である。表示された項目から録画を選択すれば、受信器１０２の受信・復調部１１０で受信された映像信号及び音声信号を入力切換部１１２を介して、選択された機器に供給してそれを録画させることができるものである。
【００５０】
また、図３に示すメニュー項目のうち、入力選択は、メニューからの選択操作ではなく、リモコン１０７に入力選択キーを設け、それを押すたびに、ビデオ１〜３、受信器１０２の受信・復調部１１０の出力が、サイクリックに切換選択されるように構成することも可能である。
【００５１】
以上のように、本発明のコンテンツモニタの制御装置は、外付け機器を含む複数のコンテンツ出力機器で構成されるコンテンツ供給源から一つのコンテンツ出力機器を選択して、選択したコンテンツ出力機器から出力されるコンテンツを、コンテンツ供給源とは別体で設けられたモニタ部に無線伝送で供給するように構成されたシステムにおいて、モニタ部でコンテンツを再生している最中に、リモコンコード信号をコンテンツ供給源に伝送して、その動作を制御できるようにしたので、モニタ部をコンテンツ供給源から離れた場所に移動させても、コンテンツ供給源の動作、機能を確実に制御することができるようになるものである。
【００５２】
図８は、本発明の他の実施の形態を示す回路ブロック図である。図８において、図１と同一部分に同一符号を付す。図８に示す装置４００では、コンテンツ供給源４０１の受信器４０２が、図１の装置の映像・音声送信部１１４に代えて、送信側モジュールユニット４０３とアンテナ４０４を備えている。送信モジュールユニット４０３は、映像信号及び音声信号をデジタル信号に変換すると共に、ＭＰＥＧ２方式でで圧縮処理を行い、それを２．４ＭＨｚの信号４０５としてアンテナ４０４から送信するように構成されている。
【００５３】
また、モニタ部４０６からリモコンコードが、パケットデータ形式で無線４０７により送信されるように構成されている。送信されたリモコンコード信号は、アンテナ４０４で受信されて送信側モジュールユニット４０３に供給され、送信側モジュールユニットでパケットデータからコード情報に変換されて制御部１１１に送られる。
【００５４】
図９は、図８に示すモニタ部４０６の内部の回路ブロック図であり、図２と同一部分に同一符号を付す。図２のモニタ部１０６と比して、映像・音声受信部１１６が、アンテナ４０８と受信側モジュールユニット４０９に変わった点が異なる。受信側モジュールユニット４０９は、受信器４０２から送信される２．４ＭＨｚのＭＰＥＧ２信号を、アンテナ４０８を介して受け、それをデコードして非圧縮の元のデジタル信号に変換し、さらアナログ信号に変換して、映像信号は、映像信号処理部４１０を介して表示部２０３で表示し、音声信号は音声処理部４１１を介してスピーカ２０５に供給して音声として出力する。
【００５５】
リモコン１０７からのリモコン信号は、赤外線受光部１１７で受信され、コード情報が制御部２０６を介して受信側モジュールユニット４０９に供給されて、ここでデジタル信号に変換されると共にパケット化され、アンテナ４０８を介して無線４０７で送信される。
【００５６】
図１０は、図８に示す送信側モジュールユニット４０３と、図９に示す受信側モジュールユニット４０９の具体的回路ブロック図である。送信側モジューユニット４０３において、入力切換部１１２から供給される音声信号とＯＳＤ重畳部１１３から供給される映像信号は、デコーダ４２２により、デジタル信号への変換処理と無線による送信に適した形態へのデコード処理が施された後、圧縮伸張部４２３に供給される。
【００５７】
この圧縮伸張部４２３は、ＲＡＭ（Ｒａｎｄｏｍ  Ａｃｃｅｓｓ  Ｍｅｍｏｒｙ）４２４をワークエリアとして、入力された映像信号及び音声信号にＭＰＥＧ２方式による圧縮処理を施し、圧縮した映像信号及び音声信号を、通信制御部４２５、無線ユニット４２６及び図８に示すアンテナ４０４（図１０では省略）を介して、無線４０５によって送信する。
【００５８】
以上のような送信側モジュール４０３の一連の動作は、ＲＯＭ（Ｒｅａｄ  Ｏｎｌｙ  Ｍｅｍｏｒｙ）４２７に格納された制御プログラムによって駆動されるＭＰＵ（Ｍｉｃｒｏ  Ｐｒｏｃｅｓｓｉｎｇ  Ｕｎｉｔ）４２８によって統括的に制御される。
【００５９】
受信器４０２の送信側モジュールユニット４０３から、アンテナ４０４を介して送信された映像信号及び音声信号は、モニタ部４０６のアンテナ４０８（図１０では省略）で受信された後、無線ユニット４３０及び通信制御部４３１を介して圧縮伸張部４３２に供給される。
【００６０】
圧縮伸張部４３２では、ＲＡＭ４３３をワークエリアとして入力された映像信号及び音声信号に伸張処理を施している。そして、この圧縮伸張部４３２から出力された映像信号及び音声信号が、エンコーダ４３４で復調されると共にアナログ信号に変換されて映像信号が映像信号処理部４１０に出力され、音声信号が音声信号処理部４１１に出力される。
【００６１】
以上のような受信側モジュールユニット４０９の一連の動作は、ＲＯＭ４３５に格納された制御プログラムによって駆動されるＭＰＵ４３６によって統括的に制御される。
一方、リモコン１０６から送信されたリモコン信号は、赤外線受光部１１７で受信されてコードが抽出され、抽出されたコードが制御部２０６でデジタル信号に変換されて受信側モジュールユニット４０９に供給される。そしてＭＰＵ４３６、通信制御部４３１、無線ユニット４３０及びアンテナ４０８を介してパケットデータ形式で無線４０５によって送信される。
【００６２】
モニタ部４０６から送信されたパケットデータは、受信器４０２のアンテナ４０４によって受信され、送信側モジュールユニット４０２の無線ユニット４２６、通信制御部４２５及びＭＰＵ４２８を介してパケットからデジタルのリモコンコード信号に変換される。デジタルリモコンコード信号は、制御部１１０で所定フォーマットの所定のコードのリモコン信号に変換されて外部機器制御部１１９に供給され、外部機器の制御に供される。
【００６３】
以上のような実施の形態においては、映像信号及び音声信号を伝送する伝送系を利用してリモコンコード信号を伝送するようにしたため、伝送受信系の回路構成を共通に利用することができ、回路構成が簡単になるという効果を有するものである。
以上のように、本発明のコンテンツモニタの制御装置は、外付け機器を含む複数のコンテンツ出力機器で構成されるコンテンツ供給源の中から一のコンテンツ出力機器を選択して、選択したコンテンツ出力機器から出力されるコンテンツを、コンテンツ供給源とは別体で設けられたモニタ部に無線で供給するように構成されたシステムにおいて、モニタ部でコンテンツを再生している最中に、リモコンコード信号を無線でコンテンツ供給源に送信して、その動作を制御できるようにしたので、モニタ部をコンテンツ供給源から離れた場所に移動させても、コンテンツ供給源の動作、機能を確実に制御することができるようになるものである。
【００６４】
【発明の効果】
本発明のコンテンツモニタの制御装置は、外付け機器を含む複数のコンテンツ出力機器の一つから供給されるコンテンツを無線伝送でモニタ部に供給するように構成されたシステムにおいて、モニタ部でコンテンツを再生している最中に、リモコンコード信号をでコンテンツ供給源に伝送して、その動作を制御できるようにしたので、モニタ部をコンテンツ供給源から離れた場所に移動させても、コンテンツ供給源の動作、機能を確実に制御することができるようになるものである。
【図面の簡単な説明】
【図１】本発明のコンテンツモニタシステムの制御装置の一実施の形態を示す回路ブロック図。
【図２】図１に示す装置の要部の回路ブロック図。
【図３】図１に示す装置の動作を説明するための図。
【図４】図１に示す装置の動作を説明するための図。
【図５】図１に示す装置の動作を説明するための図。
【図６】図１に示す装置の動作を説明するための図。
【図７】図１に示す装置の動作を説明するための図。
【図８】本発明の他の実施の形態を示す回路ブロック図。
【図９】図８に示す装置の要部の回路ブロック図。
【図１０】図８に示す装置の要部の回路ブロック図。
【符号の説明】
１００，４００…コンテンツモニタシステム
１０１，４０１…コンテンツ供給源
１０２，４０２…受信器
１０３…Ｄ−ＶＴＲ
１０４…ＤＶＤレコーダ
１０５，１０８，４０５，４０７…無線伝送媒体
１０６，４０６…モニタ部
１０７…リモートコントローラ
１１４…映像・音声送信部
１１６…映像・音声受信部
１１７，１２２，１２４赤外線受光部
１１８…ＴＶリモコンコード送信部
１１９…ＴＶリモコンコード受信部
１２１，１２３…赤外線発光部
【図１】
2004328422.tif 000003
【図２】
2004328422.tif 000004
【図３】
2004328422.tif 000005
【図４】
2004328422.tif 000006
【図５】
2004328422.tif 000007
【図６】
2004328422.tif 000008
【図７】
2004328422.tif 000009
【図８】
2004328422.tif 000010
【図９】
2004328422.tif 000011
【図１０】
2004328422.tif 000012